(57)【要約】【課題】本発明は製袋方式による方式で低コスト化を計り、従来、この方式によるドリップ性の低さや手軽な使用性を実現しようとするものである。【解決手段】支持体の折り曲げ部分など軽く組み立てられる様にして、又カップ上に高く袋部を位置させドリップ性を高めカップ上での安定性を高め、セットしやすくするものである。【選択図】図４
2020075138.tif 000002
【特許請求の範囲】
【請求項１】
本発明では、通水性濾過性を有するシート材料１に、あらかじめ厚紙等に防水加工をして構成した支持体２をシート材料１の周囲に端部３を、のこし設けて各、貼着部２２でシート材料１に支持体２を貼着し一体に取り付けている、この支持体２を貼り付けたシート材料１全体を二つ折りにする二つ折り部線１８を支持体２の中央に左右に貫通して設けている、この支持体２は箱型を構成する底面として支持柱１１を有し前後の側壁は支持辺６が構成し左右側壁は側辺５が構成しており支持体２はシート材料１で構成する袋部２５の外面側に貼着されて全体を支持体２の二つ折部線１８から折り曲げ、シート材料１側の他の三辺の端部３どうしを一体にして封じている全体構成とした製袋構造である、支持柱１１は前後方向に構え前部側の端には左折り目１９と後部側の端には右折り目２１を有し各折り目から、前後側の側壁を構成する支持辺６が伸び出て形成し有しており、この支持辺６は上部側の左右には端部折り目２０から、それぞれ側辺５が伸びて設け有しており、この側辺５は、さらに下方に伸び袋部２５の上方口２４から底部側まで位置して、左右側の側壁を構成し、さらに、この支持辺６の下部側には左右に伸び出た支持アーム１０を、それぞれ有し、その下端部には外ガード７と内ガード８、その間に設けた受け部９からなる受け部を構成し設け有している、さらに支持柱１１は、左折り目１９と右折り目２１の間に構え支持柱１１の両サイド側に設けた各折り曲げ線１３から両サイド方向にそれぞれ伸び出た折り下げ辺１２を構成し設けており、この折り下げ辺１２の巾は左折り目１９から右折り目２１までの巾の折り下げ辺１２となっている、又支持柱１１はシート材料１で構成した袋部２５の底部の下面側の中央部に位置し、その両サイド側には袋部２５の底部側の左右の下端にポケット部１６を構成する角部１５が位置し有している又、この折り下げ辺１２は各、支持柱１１側に、折り曲げ線１３から伸び出た凸部１４を設けている、袋部２５を構成するシート材料１には上方口２４を構成するための、ミシン目４を上部側の端部３の内側の位置で左右巾に貫通したミシン目４を設けている、以上の構成によることを特徴とするドリップ抽出バッグである。
【請求項２】
支持柱１１は左折り目１９と右折り目２１の間に細長で巾の狭い形状であり、支持柱１１の両サイドに有した折り曲げ線１３から、それぞれ伸び出た折り下げ辺１２は、左折り目１９と右折り目２１の巾で両サイド方向に各、長く伸び出た大きな折り下げ辺１２を構成している、以上の構成によることを特徴とした請求項１記載のドリップ抽出バッグ。
【発明の詳細な説明】
【技術分野】
【０００１】  本発明は飲用容器上に置きセットして使用する、レギュラーコーヒー等の使い捨てタイプのドリップ式抽出バッグであり、通水性濾過性を有したシート材料で構成した、上方に開口部を有した濾過袋であり、この濾過袋に防水加工をした厚紙等の部材で構成した支持体を取り付て設けており、カップ等の飲用容器の口部上に、この支持体で濾過袋を支持し定置させており、この袋内のコーヒー粉に、お湯を注ぎ入れ抽出ドリップし使用するドリップ抽出バッグに関するものである。
【背景技術】
【０００２】  従来、濾過袋をカップ口部上に位置させ定置させるために、濾過袋に取り付けた支持体は、柔軟性のある濾過袋を硬性のある支持体でカップ口部上にカップ口部を支持体が、とらえ濾過袋の袋形を形成しながら、カップ口部上に濾過袋を保持するものであるが、この支持体を多く使用できるタイプの抽出バッグは、濾過袋をカップ上に高く位置させカップ内の湯面に接する事なくドリップ性が高いが、他方で製袋方式である抽出バッグは、濾過シートにあらかじめ支持体を取り付けて貼着しており、このシート状の濾過袋を二つ折りにして、折り目以外の三辺の端部を封じ、中にコーヒー粉を充墳しており、この製袋方式は三辺を封じる工程がある為に、この三辺の端部どうしを貼着する為のスペースを確保しなければならず、このスペースの内側の範囲内だけに支持体の大きさに限定されるため、大きな支持体面積を使用できず、カップ口部上に高く濾過袋を浮かせドリップ性を高める事はできずカップの口部を、とらえ濾過袋をカップ内に位置させる、つり下げ方式的になる傾向にあり、袋部が半分お湯に浸す半分ドリップの方式になり完全ドリップには不向きであるなど課題や制約が多かったが、濾過袋形より外側に支持体が大きく伸び出る事のできるタイプに比較し製袋方式タイプは設備費が１０分の１程度と商品コストの面では大きな利点があった。
【先行技術文献】
【特許文献】
【０００３】
【特許文献１】特許第２５０５９５９号
【特許文献２】特開平１１−１７８７２０
【特許文献３】特許第３７２７２７０号
【特許文献４】特開２００４−１３０１０４
【特許文献５】特開２００９−９６５０７
【発明の概要】
【発明が解決しようとする課題】
【０００４】  それには次のような問題点があった。
（イ）濾過袋をカップ上に位置させるタイプの（特開２００４−１３０１０４）や（特開２００９−９６５０７）は袋の位置が高く、カップ内のお湯に袋の下部が浸る事がなくドリップ性は良いが、全体に大型のコーヒーバッグになり又、生産設備も大規模となるため高コストとなる。
（ロ）それに比較し（特許第２５０５９５９号）や（特開平１１−１７８７２０）や（特許第３７２７２７０号）などの製袋方式の場合では生産設備が１０分の１程度であるため低コストな利点があるが、製袋方式の特徴として濾過性を有したシート材料に、あらかじめ支持体を貼り付けてある状態のシート材料を二つ折りにしながら合わせる三辺の端部を封じながら構成する袋内にコーヒー粉を充墳して行く方式であるため、封じる三辺の端部のスペースをシート材料の周囲に残した内側の範囲内の大きさの支持体であるため、この限られた面積とサイズの支持体で立体的に全体形を構成し安定させて袋部をカップ内のお湯に浸らない様に濾過袋をカップ上に高く位置させ保持する構造を構成しドリップ性を高めることは難しかった。
（ハ）又、（特許第３７２７２７０号）は支持体の折り目を伸ばしカップ上に台形型を構成し、（特開２００４−１３０１０４）や（特開２００９−９６５０７）は支持体で舟型を形成し、それぞれカップ上に袋部の口を開き保持しているが、（特許第３７２７２７０号）は支持体の折り目を伸ばし固定するために折り返し辺で支持体の折り目を伸ばし固定しているが折り返し方式では折り返し辺が元に戻る事があり又、（特開２００４−１３０１０４）や（特開２００９−９６５０７）は三角型で小型の折り込み部で支持体を舟型に開き固定しているが、この折り込み方式の場合折り込んだ状態の固定力は弱く又、折り込んだ反発力で固定した状態を保つためその反発力を超える力が作用すると折り込んだ方向にそのまま折れ曲がり固定できなくなる課題があった。
【課題を解決するための手段】
【０００５】本発明では、通水性濾過性を有するシート材料１に、あらかじめ厚紙等に防水加工をして構成した支持体２をシート材料１の周囲に端部３を、のこし設けて各、貼着部２２でシート材料１に支持体２を貼着し一体に取り付けている、この支持体２を貼り付けたシート材料１全体を二つ折りにする二つ折り部線１８を支持体２の中央に左右に貫通して設けている、この支持体２は箱型を構成する底面として支持柱１１を有し前後の側壁は支持辺６が構成し左右側壁は側辺５が構成しており支持体２はシート材料１で構成する袋部２５の外面側に貼着されて全体を支持体２の二つ折部線１８から折り曲げ、シート材料１側の他の三辺の端部３どうしを一体にして封じている全体構成とした製袋構造である、支持柱１１は前後方向に構え前部側の端には左折り目１９と後部側の端には右折り目２１を有し各折り目から、前後側の側壁を構成する支持辺６が伸び出て形成し有しており、この支持辺６は上部側の左右には端部折り目２０から、それぞれ側辺５が伸びて設け有しており、この側辺５は、さらに下方に伸び袋部２５の上方口２４から底部側まで位置して、左右側の側壁を構成し、さらに、この支持辺６の下部側には左右に伸び出た支持アーム１０を、それぞれ有し、その下端部には外ガード７と内ガード８、その間に設けた受け部９からなる受け部を構成し設け有している、さらに支持柱１１は、左折り目１９と右折り目２１の間に構え支持柱１１の両サイド側に設けた各折り曲げ線１３から両サイド方向にそれぞれ伸び出た折り下げ辺１２を構成し設けており、この折り下げ辺１２の巾は左折り目１９から右折り目２１までの巾の折り下げ辺１２となっている、又支持柱１１はシート材料１で構成した袋部２５の底部の下面側の中央部に位置し、その両サイド側には袋部２５の底部側の左右の下端にポケット部１６を構成する角部１５が位置し有している又、この折り下げ辺１２は各、支持柱１１側に、折り曲げ線１３から伸び出た凸部１４を設けている、袋部２５を構成するシート材料１には上方口２４を構成するための、ミシン目４を上部側の端部３の内側の位置で左右巾に貫通したミシン目４を設けている。【０００６】  支持柱１１は左折り目１９と右折り目２１の間に細長で巾の狭い形状であり、支持柱１１の両サイドに有した折り曲げ線１３から、それぞれ伸び出た折り下げ辺１２は、左折り目１９と右折り目２１の巾で両サイド方向に各、長く伸び出た大きな折り下げ辺１２を構成している。
【発明の効果】
【０００７】  （Ａ）箱形を形成する支持体２の底部を構成する支持柱１１の前後に設けた支持辺６の下端部に設けたカップの口部受け部でカップ１７の口部を、とらえているため支持柱１１はカップ１７の口部の高さに位置して袋部２５の底面を下から支えているため袋部２５の底部がカップ１７内の湯面上に浮かせて保持できる。
（Ｂ）支持柱１１の両サイドの折り下げ辺１２は二つ折り部線１８の折り目を伸ばしながら支持柱１１と下方向きのコの字型の箱状の形状を形成しているため支持柱１１が袋部２５の重量を支える高い強度を構成できる。
（Ｃ）支持体２の中央の二つ折り部線１８を伸ばし支持柱１１を平たく維持するための両サイドの折り下げ辺１２が支持柱１１の左折り目１９と右折り目２１の間の巾で構成した広巾であり又、さらに支持柱１１が前後に細長い形状で巾を狭くして構えていることで両サイド方向に折り下げ辺１２は長く伸ばして構成できるため折り下げ辺１２は大型の折り下げ辺１２となり二つ折り部線１８を伸ばし固定する作用が高くなる。
（Ｄ）支持体２で箱形を形成したとき下方に折り下げた折り下げ辺１２の外側にポケット部１６を構成し設け有しており、このポケット部１６の中にコーヒー粉やお湯が入ることで折り下げ辺１２は折り下げた後は元に戻らなくなり固定できる。
（Ｅ）支持柱１１は細長で巾の狭い形状で袋部２５の底部の中央部だけを下から支えるため袋部２５の底部側の左右の角部１５を下方に下げてポケット部１６を支持柱１１の両サイド側で折り下げ辺１２の外側に位置させ構成できる。
【図面の簡単な説明】
【０００８】
【図１】本発明の展開図である。
【図２】本発明の組み立て状態を示す斜視図である。
【図３】本発明の組み立てた状態を示す斜視図である。
【図４】本発明の箱型を形成した状態を示す斜視図である。
【図５】本発明の袋部のポケット部を示す斜視図である。
【図６】本発明の使用状態を示す斜視図である。
【図７】本発明の箱型を形成している状態を示す斜視図である。
【図８】本発明の押し上げ凸部１４の拡大図で斜視図である。
【発明を実施するための形成】
【０００９】  以下、本発明の実施形態について説明する。
（１）通気性濾過性を有するシート材料１に、あらかじめ厚紙等に防水加工をして構成した支持体２をシート材料１の周囲に端部３をのこし設けて各貼着部２２でシート材料１に支持体２を貼着し一体に取り付けている。
（２）この支持体２を貼り付けたシート材料１を二つ折りにするための二つ折り部線１８を支持体２の中央に左右に貫通して設けている。
（３）この支持体２は箱形を形成するための、底面を構成する支持柱１１を設けており、これはシート材料１で袋部２５を形成したとき袋部２５の底部を下から支え保持するもので、袋部２５の底部の下面に位置し底部の中央部を前後に巾の狭い細長い形状で構え支えている支持柱１１である。
（４）この支持柱１１は縦方向に細長く巾を狭くして構え左右に大きなスペースを構成して、支持柱１１の、この両サイドに設けたスペースに折り曲げ線１３を介しそれぞれ両サイド方向に各長く伸び出させた左折り目１９と右折り目２１の巾での大型の折り下げ辺１２を構成させて各設け有しており、さらに支持柱１１の、この前後方向に細長い前部側の端部には左折り目１９と後部側の端には右折り目２１を有し各折り目から、さらに前後側の側壁を構成する支持辺６が伸び出て各有している。
（５）この支持辺６の上部側の左右には端部折り目２０を介し、それぞれ側辺５を設けており、この側辺５は、さらに下方に伸び袋部２５の上方口２４から底部側まで伸びており袋部２５と支持体２が箱型を構成したときの左右側の側壁を形成するものである。
（６）さらに、この支持辺６の両側部側には左右に伸び出た支持アーム１０を、それぞれ有し、その下端部にはカップの口部を取らえ受けるための外ガード７と内ガード８、その間に設けた受け部９からなるカップ口部の受け部を構成し設けて有した、この支持辺６は箱形を構成したときの前後側の各側壁面をも構成している。
（７）さらに支持柱１１はシート材料１で構成した袋部２５を下から支える箱型の底部を構成し、支持辺６やその側辺５で各箱型の側壁面を構成する支持辺６や側辺５を支え保持してカップ口部をとらえながら箱形を形成保持するものである。
（８）支持柱１１は左折り目１９と右折り目２１の間に細長い形状で巾を狭く構えることでその両サイドに折り曲げ線１３を各設けて、両サイド方向に長く伸びた折り下げ辺１２が構成できる様にしており、又折り下げ辺１２の巾は、左折り目１９と右折り目２１の巾であり箱型全体の巾を有し両サイド方向にも長く伸び出て構成した大きな折り下げ辺１２であり、この折り下げ辺１２を下方に折り下げたとき、袋部２５の底部側の中央部だけをとらえる支持柱１１であるため袋部２５の底部側の左右の角部１５は下方に下がり折り下げ辺１２の外側の位置でポケット部１６を構成する。
（９）支持柱１１は中央部にある二つ折り部線１８を伸ばし平たく形成保持する両サイドの各折り下げ辺１２が左折り目１９と右折り目２１の巾を有した両サイドの折り下げ辺１２が折り曲げ線１３から下方に折り下がった状態では支持柱１１と両サイド側の折り下げ辺１２の両辺で下方向きのコの字型の箱状の形状になることで支持柱１１が前後の端部でカップ口部をとらえている支持辺６側の間で支持柱１１はカップ１７の口部の高さの位置で袋部２５を支えながら、その重量を支える高い支持力をも構成している。
（１０）このときに、この折り下げ辺１２は折り曲げられたため元に戻ろうとする復元力の働きが作用し垂直、下方より多少ポケット部１６側に向いている状態のため支持柱１１の上面に大きな下方向の力が加わると基本的に折り下げ辺１２は垂直下方向のどちらか向いた方向に曲がって行くが折り下げ辺１２は折り曲げ線１３から折り曲げられたポケット部１６側に戻ろうとする反発力で常にポケット部１６側を向いた状態のため内側方向ではなくポケット部方向に戻ろうとするが、これを止めるため袋部２５の底部側の両端の角部１５が各折り下げ辺１２の外側に下がり位置している、このポケット部１６内にコーヒー粉やお湯が入る事で大きな抑止力となり折り下げ辺１２が元に戻ろうとする作用をポケット部１６内の重量で押さえる又、長く伸び出た折り下げ辺１２であるため、てこの原理でポケット部１６は容易に折り下げ辺１２を押さえることができ折り下げ辺１２は下方向に折り下げられた状態で固定され完全に戻らなくなる。
（１１）支持体１１の両サイドに設けた各折り下げ辺１２は、折り曲げ線１３から支持柱１１側に伸び出て構成した押し上げ凸部１４を各それぞれ設け有しており、これは袋部２５の底部を浮かし支持体１１との間に一定の透き間を部分的に構成し袋部２５からの湯の流下をスムーズにする作用がある。
（１２）シート材料１には上方口２４を構成するためのミシン目４を上部側の端部３の内側の位置で左右巾に貫通したミシン目４を設けている。
（１３）このシート材料１と支持体２で構成した包材を二つ折り部線１８から全体を折り曲げ各端部３の三辺どうしを合わせ中にコーヒー粉等を充墳して三辺の端部３を封じて製袋形を構成している。
【符号の説明】
【００１０】１    シート材料
２    支持体
３    端部
４    ミシン目
５    側辺
６    支持辺
７    外ガード
８    内ガード
９    受け部
１０  支持アーム
１１  支持柱
１２  折り下げ辺
１３  折り曲げ線
１４  押し上げ凸部
１５  角部
１６  ポケット部
１７  カップ
１８  二つ折り部線
１９  左折り目
２０  端部折り目
２１  右折り目
２２  貼着部
２３  切れ目
２４  上方口
２５  袋部
【図１】
2020075138.tif 000003
【図２】
2020075138.tif 000004
【図３】
2020075138.tif 000005
【図４】
2020075138.tif 000006
【図５】
2020075138.tif 000007
【図６】
2020075138.tif 000008
【図７】
2020075138.tif 000009
【図８】
2020075138.tif 000010